(57)【要約】【課題】  アイアンゴルフクラブによるハンドファーストの基本的なスイングを効率的に習得するための練習をすることができる練習用アイアンゴルフクラブを提供すること。【解決手段】  本発明は、クラブフェース１４を目標方向と直交するようにアドレスした際にゴルフクラブヘッド１２のホーゼル部分１５及びホーゼル部分１５近傍のクラブシャフト１１が目標方向と直交する垂直面上に形成され、ゴルフボール２０を実際に打つことができる練習用アイアンゴルフクラブ１０であって、クラブシャフト１１のグリップ部分１８を握るとハンドファーストの状態を得られるように、当該グリップ部分１８が目標方向に変位すべく、前記クラブシャフト１１が一箇所曲げられている練習用アイアンゴルフクラブ１０である。【選択図】図１
2019136448.tif 000002
【特許請求の範囲】
【請求項１】
クラブフェースを目標方向と直交するようにアドレスした際にゴルフクラブヘッドのホーゼル部分及びホーゼル部分近傍のクラブシャフトが目標方向と直交する垂直面上に形成され、ゴルフボールを実際に打つことができる練習用アイアンゴルフクラブであって、
クラブシャフトのグリップ部分を握るとハンドファーストの状態を得られるように、当該グリップ部分が目標方向に変位すべく、前記クラブシャフトが一箇所曲げられていることを特徴とする練習用アイアンゴルフクラブ。
【請求項２】
前記クラブシャフトのグリップエンド部分における目標方向への変位量は、クラブシャフトの先端部分の延長線との距離が３５ｍｍ〜１１５ｍｍの範囲内であることを特徴とする請求項１に記載の練習用アイアンゴルフクラブ。
【請求項３】
前記クラブシャフトのグリップ部分が、クラブシャフトの先端部分の延長線よりもゴルファーに接近する内側に配置されるように、前記クラブシャフトが目標方向と直交する垂直面上においても変位していることを特徴とする請求項１又は２に記載の練習用アイアンゴルフクラブ。
【請求項４】
前記グリップ部分のクラブシャフトは、直線状であることを特徴とする請求項１ないし３の何れか一項に記載の練習用アイアンゴルフクラブ。
【請求項５】
ゴルフボールを実際に打つことができる練習用アイアンゴルフクラブであって、
クラブシャフトのグリップ部分が直線状であり、かつ、
ゴルフクラブヘッドが装着されたクラブシャフトの先端が、スイングプレーン上における目標方向側に３５ｍｍ〜１１５ｍｍ程度変位するように、クラブシャフトが一箇所曲げられていることを特徴とする練習用アイアンゴルフクラブ。
【請求項６】
前記グリップ部分の延長線と、ゴルフクラブヘッドのホーゼル部分の延長線との為す角度が８度±１度に設定されていることを特徴とする請求項４又は５に記載の練習用アイアンゴルフクラブ。
【請求項７】
クラブフェース下端部のスコアラインの延長線と一致させるとハンドファーストの位置となる線状の目印が、ゴルフクラブシャフト又はゴルフクラブヘッドのホーゼル部分に付されていることを特徴とする請求項１ないし６の何れか一項に記載の練習用アイアンゴルフクラブ。
【請求項８】
前記線状の目印は、スコアラインの２倍程度の太さにて前記ホーゼル部分に形成されていることを特徴とする請求項７に記載の練習用アイアンゴルフクラブ。
【請求項９】
ゴルフクラブヘッドのソール面は、３５ｍｍ±５ｍｍ程度の太さであることを特徴とする請求項１ないし８の何れか一項に記載の練習用アイアンゴルフクラブ。
【請求項１０】
ゴルフクラブヘッドのライ角及びロフト角の数値、クラブフェース及びホーゼル部分の形状は、５番から９番及びウエッジのゴルフクラブと同一であることを特徴とする請求項１ないし９の何れか一項に記載の練習用アイアンゴルフクラブ。
【請求項１１】
ゴルフクラブヘッドのライ角は、略６２度であることを特徴とする請求項１ないし１０の何れか一項に記載の練習用アイアンゴルフクラブ。
【発明の詳細な説明】
【技術分野】
【０００１】
本発明は、練習用アイアンゴルフクラブに関するものであって、アイアンゴルフクラブによるハンドファーストの基本的なスイングを効率的に習得するための練習をすることができる練習用アイアンゴルフクラブに関するものである。
ここで、ハンドファーストの基本的なスイングとは、アドレス時にゴルフクラブヘッドよりも手が打球方向の前方にあり、その位置関係をインパクト時点で再現することにある。
【背景技術】
【０００２】
従来、クラブシャフトを曲げたゴルフクラブが各種提案されている。
それらのゴルフクラブとしては、以下の（ア）〜（ウ）ようなものがある。
（ア）実際にゴルフボールを打つことができず、単に素振りするだけの練習用ゴルフクラブ（特許文献１）
このような実際にゴルフボールを打つことができない練習用ゴルフクラブによっては、打った球が飛ぶ様子を確認できず、そのスイングフォームが正しいものであるか否かを判断できないという問題がある。
（イ）パター用のゴルフクラブ（特許文献２、特許文献３）
アイアンゴルフクラブによるショット（打球）の練習に使用できるものではない。
（ウ）飛距離を伸ばすためのゴルフクラブ（特許文献４）及びスイング軌道の適正化を図るためのゴルフクラブ（特許文献５）
これらのゴルフクラブは、ハンドファーストの基本的なスイングを効率的に習得するためのものではない。
【０００３】
そこで、実際にゴルフボールを打つことができ、クラブシャフトを曲げたものとして、図６に示すような練習用アイアンゴルフクラブ１００が提案されている。
この練習用アイアンゴルフクラブ１００は、ゴルフクラブヘッドが目標方向とは反対側（後方）に配置されるように、グリップが装着される部分を含めて全体的にクラブシャフトを湾曲させたものである。
【０００４】
上記従来の練習用アイアンゴルフクラブ１００においては、構えた状態（ゴルフボール２０に対してアドレスした状態）ではハンドファーストの基本的なスイングを得られるものであるが、実際に打球練習を行うと、ゴルフクラブシャフトがしなるため、ゴルフクラブヘッドが遅れて回転しているという感じを受け、スイング中においてはゴルフクラブヘッドをより前方へ出そうとして余分な動作を招いてしまうという問題がある。
このようにゴルフクラブヘッドを早く回転させてしまう動作を招く打球練習は、ハンドファーストの基本的なスイングとは異なるものであり、ハンドファーストの基本的なスイングを習得するための練習としては逆効果となる。
【０００５】
また、図６に示す従来の練習用アイアンゴルフクラブ１００においては、通常のゴルフクラブとは異なり、グリップ部分まで湾曲しており、さらには、ゴルフクラブヘッドのホーゼル部分の先端側が目標方向側に傾斜しており、違和感を生じるという問題や、それらを得るための加工に手間と費用がかかるという問題がある。
【先行技術文献】
【特許文献】
【０００６】
【特許文献１】実用新案登録第３２０６５８９号公報
【特許文献２】実開昭５７−４８９５７号公報
【特許文献３】実用新案登録第３１３０４００号公報
【特許文献４】特開平９−６６８号公報
【特許文献５】実用新案登録第３１０２５２７号公報
【発明の概要】
【発明が解決しようとする課題】
【０００７】
そこで、本発明が解決しようとする課題は、従来の練習用ゴルフクラブにおける上記の問題を解決し、特にアイアンゴルフクラブによるショットの練習において、ハンドファーストの基本的なスイングを効率的に習得するための練習を行うことができる練習用アイアンゴルフクラブを提供することにある。
本発明が解決しようとする課題は、通常のゴルフクラブのためのクラブヘッドを使用でき、シャフトの曲げ加工も容易な練習用アイアンゴルフクラブを提供することにある。
さらに、本発明は、正しい構えを容易に得ることができ、さらには、通常のアイアンゴルフクラブをスイングする場合との違いに基づく違和感を減少又は解消することができる練習用アイアンゴルフクラブを提供することを目的とする。
【課題を解決するための手段】
【０００８】
（１）本発明は、「クラブフェースを目標方向と直交するようにアドレスした際にゴルフクラブヘッドのホーゼル部分及びホーゼル部分近傍のクラブシャフトが目標方向と直交する垂直面上に形成され、ゴルフボールを実際に打つことができる練習用アイアンゴルフクラブであって、クラブシャフトのグリップ部分を握るとハンドファーストの状態を得られるように、当該グリップ部分が目標方向に変位すべく、前記クラブシャフトが一箇所曲げられている練習用アイアンゴルフクラブ」を最も主要な特徴とするものである。
【０００９】
（２）本発明は、前記クラブシャフトのグリップエンド部分における目標方向への変位量が、クラブシャフトの先端部分の延長線との距離が３５ｍｍ〜１１５ｍｍの範囲内である練習用アイアンゴルフクラブであってもよい。
（３）また、本発明は、前記クラブシャフトのグリップ部分が、クラブシャフトの先端部分の延長線よりもゴルファーに接近する内側に配置されるように、前記クラブシャフトが目標方向と直交する垂直面上においても変位している練習用アイアンゴルフクラブであってもよい。
（４）本発明は、前記グリップ部分のクラブシャフトが直線状である練習用アイアンゴルフクラブであってもよい。
【００１０】
（５）さらに、本発明は、「ゴルフボールを実際に打つことができる練習用アイアンゴルフクラブであって、クラブシャフトのグリップ部分が直線状であり、かつ、ゴルフクラブヘッドが装着されたクラブシャフトの先端が、スイングプレーン上における目標方向側に３５ｍｍ〜１１５ｍｍ程度変位するように、クラブシャフトが一箇所曲げられている練習用アイアンゴルフクラブ」である。
（６）本発明は、前記グリップ部分の延長線と、ゴルフクラブヘッドのホーゼル部分の延長線との為す角度が８度±１度に設定されている練習用アイアンゴルフクラブであってもよい。
（７）本発明は、クラブフェース下端部のスコアラインの延長線と一致させるとハンドファーストの位置となる線状の目印が、ゴルフクラブシャフト又はゴルフクラブヘッドのホーゼル部分に付されている練習用アイアンゴルフクラブであってもよい。
【００１１】
（８）本発明は、前記線状の目印が、スコアラインの２倍程度の太さにて前記ホーゼル部分に形成されている練習用アイアンゴルフクラブであってもよい。
（９）本発明は、ゴルフクラブヘッドのソール面が、３５ｍｍ±５ｍｍ程度の太さである練習用アイアンゴルフクラブであってもよい。
（１０）本発明は、ゴルフクラブヘッドのライ角及びロフト角の数値、クラブフェース及びホーゼル部分の形状が、５番から９番及びウエッジのゴルフクラブと同一である練習用アイアンゴルフクラブであってもよい。
（１１）本発明は、ゴルフクラブヘッドのライ角が、略６２度である練習用アイアンゴルフクラブであってもよい。
【発明の効果】
【００１２】
（１）上記のように構成した本発明の練習用アイアンゴルフクラブにおいては、クラブフェースを目標方向と直交するようにアドレスした際にゴルフクラブヘッドのホーゼル部分及びホーゼル部分近傍のクラブシャフトが目標方向と直交する垂直面上に形成されているため、通常のアイアンゴルフクラブと同様にゴルフボールを実際に打つことができる練習用アイアンゴルフクラブとすることができる。
そして、グリップ部分が目標方向に変位するように前記クラブシャフトが一箇所曲げられているため、クラブシャフトのグリップ部分を握ると、今までハンドファーストの状態で打てなかったゴルファーにおいて、自然に無理なくハンドファーストの状態で構えて打つことができる。
即ち、本発明の練習用アイアンゴルフクラブは、ハンドファーストの基本的なスイングフォームにて打球練習させることで、ハンドファーストの状態による打球フォームが身についていないゴルファーのスイングフォームを矯正するものである。
【００１３】
さらに、クラブシャフトが一箇所曲げられているのみであるため、複数箇所曲げられている場合とは異なり、通常のアイアンゴルフクラブとの違いが少なく、操作し易いばかりか、製造も比較的容易であり、強度及び耐久性の上でも有利なものとすることができる。
また、ゴルフクラブヘッドが遅れて回転しているという感じを受けることが無いため、ゴルフクラブヘッドを前方へ早く回転させようとして手首をこねるような好ましくない打球フォームにつながる動作を招くことも無い。
【００１４】
（２）本発明の練習用アイアンゴルフクラブにおいて、前記クラブシャフトのグリップエンド部分における目標方向への変位量が、クラブシャフトの先端部分の延長線との距離が３５ｍｍ〜１１５ｍｍの範囲内であることにより、ハンドファーストの基本的なスイングを習得するための練習を違和感なく行うことが可能となる。
（３）本発明の練習用アイアンゴルフクラブにおいて、前記クラブシャフトのグリップ部分が、クラブシャフトの先端部分の延長線よりもゴルファーに接近する内側に配置されるように、前記クラブシャフトが目標方向と直交する垂直面上においても変位していることにより、グリップ部分の延長線と、通常のアイアンゴルフクラブにおけるゴルフクラブヘッドの位置とのズレ量を減少させることができ、クラブシャフトが曲げられていることによる重心位置のズレを減少させ、通常のアイアンゴルフクラブをスイングする場合との違いに基づく違和感をより一層軽減することができる。
【００１５】
（４）本発明の練習用アイアンゴルフクラブにおいて、前記グリップ部分のクラブシャフトが直線状である場合には、通常のアイアンゴルフクラブと同じように握ることができる。
（５）本発明の練習用アイアンゴルフクラブにおいて、クラブシャフトのグリップ部分が直線状であり、かつ、ゴルフクラブヘッドが装着されたクラブシャフトの先端が、スイングプレーン上における目標方向側に３５ｍｍ〜１１５ｍｍ程度変位するように、クラブシャフトが一箇所曲げられている場合には、クラブヘッドのソール面を地面に合わせて置き、ゴルフクラブフェースによる打球面を目標方向と直交させた状態でアドレスした場合に、ハンドファーストの状態を得られ、その正しいハンドファーストの打球フォームを維持しつつゴルフボールを実際に打って基本的なスイングを習得するための練習をすることができる。
【００１６】
（６）本発明の練習用アイアンゴルフクラブにおいて、前記グリップ部分の延長線と、ゴルフクラブヘッドのホーゼル部分の延長線との為す角度が８度±１度に設定されている場合には、アイアンゴルフクラブについての打球スイング練習の基本となるミドルアイアンにおいて、本発明の好適な練習用アイアンゴルフクラブを得ることができる。
（７）本発明の練習用アイアンゴルフクラブにおいて、クラブフェース下端部のスコアラインの延長線と一致させるとハンドファーストの位置となる線状の目印が、ゴルフクラブシャフト又はゴルフクラブヘッドのホーゼル部分に付されている場合には、ゴルフボールに対するハンドファーストを簡単に得ることができる。
【００１７】
（８）本発明の練習用アイアンゴルフクラブにおいて、前記線状の目印が、スコアラインの２倍程度の太さにて前記ホーゼル部分に形成されている場合には、利き目が左右何れの場合であっても簡単にハンドファーストを得ることができる。
【００１８】
（９）本発明の練習用アイアンゴルフクラブにおいて、ゴルフクラブヘッドのソール面が、３５ｍｍ±５ｍｍ程度の太さである場合には、ゴルフクラブを地面に置いた際の安定感が高く、初心者であってもそのゴルフクラブヘッドに合った正しいアドレス（構え）を簡単に得ることができる。
（１０）本発明の練習用アイアンゴルフクラブにおいて、前記ゴルフクラブヘッドのライ角及びロフト角の数値、クラブフェース及びホーゼル部分の形状が、５番から９番及びウエッジのゴルフクラブと同一である場合には、本発明による高い練習効果を得ることができる。
（１１）本発明の練習用アイアンゴルフクラブにおいて、前記ゴルフクラブヘッドのライ角が、略６２度である場合には、アイアンゴルフクラブについての打球スイング練習の基本となるミドルアイアンにおいて、本発明の好適な練習用アイアンゴルフクラブを得ることができる。
【図面の簡単な説明】
【００１９】
【図１】図１は通常のアイアンゴルフクラブと本発明を具体化した一実施形態の練習用アイアンゴルフクラブを使用している状態を示す正面図である。
【図２】図２は本発明を具体化した一実施形態の練習用アイアンゴルフクラブの平面図、ゴルフクラブヘッドの拡大平面図、ゴルフクラブヘッドの底面図である。
【図３】図３は本発明の練習用アイアンゴルフクラブの複数の実施形態を示す正面図である。
【図４】図４は本発明の一実施形態の練習用アイアンゴルフクラブのクラブシャフトの平面図である。
【図５】図５は本発明を具体化した一実施形態の練習用アイアンゴルフクラブを示す図であって、図５（Ａ）は目標方向側から見た側面図、図５（Ｂ）はゴルフクラブヘッド周辺部を示す拡大平面図である。
【図６】図６は従来の練習用アイアンゴルフクラブを使用している状態（正しいアドレス中の状態及び誤ったスイング中の状態）を示す正面図である。
【発明を実施するための形態】
【００２０】
本発明は、「クラブフェースを目標方向と直交するようにアドレスした際にゴルフクラブヘッドのホーゼル部分及びホーゼル部分近傍のクラブシャフトが目標方向と直交する垂直面上に形成され、ゴルフボールを実際に打つことができる練習用アイアンゴルフクラブであって、クラブシャフトのグリップ部分を握るとハンドファーストの状態を得られるように、当該グリップ部分が目標方向に変位すべく、前記クラブシャフトが一箇所曲げられている練習用アイアンゴルフクラブ」、又は、「ゴルフボールを実際に打つことができる練習用アイアンゴルフクラブであって、クラブシャフトのグリップ部分が直線状であり、かつ、ゴルフクラブヘッドが装着されたクラブシャフトの先端が、スイングプレーン上における目標方向側に３５ｍｍ〜１１５ｍｍ程度変位するように、クラブシャフトが一箇所曲げられている練習用アイアンゴルフクラブ」であって、以下において説明する実施の形態などにより好適に具体化することができる。
【００２１】
以下、本発明の練習用アイアンゴルフクラブの一実施形態について説明する。
図１の右側の図及び図２は、本発明の一実施形態の練習用アイアンゴルフクラブ１０を示しており、この練習用アイアンゴルフクラブ１０は、ゴルフボール２０を実際に打つことができるものであって、金属製（スチール製）のクラブシャフト１１と、その先端部に固定されたゴルフクラブヘッド１２を有している。
【００２２】
前記ゴルフクラブヘッド１２は、下端部において略平坦に形成されたソール面１３と、打球面を構成するクラブフェース１４と、前記クラブシャフト１１との連結固定部分であるホーゼル部分１５とを有している。
前記クラブフェース１４には、水平方向に沿って複数本のスコアライン（溝）が形成されており、下端部のスコアライン１６は、目立つように白く着色されており、かつ、通常よりも幅広く（約３倍程度）形成されている。
【００２３】
さらに、前記クラブフェース１４を目標方向と直交するようにアドレスした際にゴルフクラブヘッド１２のホーゼル部分１５及び当該ホーゼル部分１５近傍のクラブシャフト１１は、目標方向と直交する垂直面上に形成されている（図１参照）。
また、前記ゴルフクラブヘッド１２のホーゼル部分１５には、当該ホーゼル部分１５の軸心方向に沿って線状の目印１７が凹設されており、当該線状の目印１７は、目立つように白く着色されている。
さらに、前記線状の目印１７は、前記下端部のスコアライン１６の２倍程度の太さにて前記ホーゼル部分１５に形成されている。
【００２４】
前記線状の目印１７は、前記クラブフェース１４の下端部のスコアライン１６の延長線と一致させるように構えると、クラブシャフト１１の上端部側のグリップ部分１８が、ハンドファーストの位置となるようになっている。
前記ホーゼル部分１５の線状の目印１７に代えて、前記クラブシャフト１１に直接線状の目印１７’として記載しても良い。
なお、前記ゴルフクラブヘッド１２のソール面１３は、通常のゴルフクラブよりも広めの３５ｍｍ±５ｍｍ程度の太さ（図２に示すｔ１）に形成すると、アドレスし易い練習用アイアンゴルフクラブ１０とすることができる。
【００２５】
好適な一実施形態の練習用アイアンゴルフクラブ１０として、前記ゴルフクラブヘッド１２のライ角の数値は６２度であり、ロフト角の数値は３４度であり、クラブフェース１４及びホーゼル部分１５の形状は、通常の７番アイアンのゴルフクラブと同様のものとなっている（図３参照）。
本発明において、前記ライ角及びロフト角の数値、クラブフェース１４及びホーゼル部分１５の形状は、通常の５番から９番及びウエッジのゴルフクラブと同一のものとして適宜選択して採用することができる。
即ち、本発明の練習用アイアンゴルフクラブ１０のために用いる前記ゴルフクラブヘッド１２の構成は、練習用ではない通常のアイアンゴルフクラブ５０に用いられるものと同様のものであっても良い（図１参照）。また、クラブシャフト自体の長さも同様のものを採用できる。
【００２６】
なお、前記グリップ部分１８は、ＥＶＡ又はゴムなどの弾性材料からなる通常のグリップが固定されることで設けられており、かつ、当該グリップ部分１８のクラブシャフト１１は、通常のアイアンゴルフクラブ５０と同様に直線状となっている。
さらに、前記ホーゼル部分１５近傍のクラブシャフト１１は直線状となっている。
一方、前記クラブシャフト１１の略中央部は、当該クラブシャフト１１のグリップ部分１８を握るとハンドファーストの状態を得られるように、当該グリップ部分１８が目標方向に変位すべく、前記クラブシャフト１１が一箇所曲げられている。
【００２７】
通常の７番アイアンのゴルフクラブ５０と同様のライ角及びロフト角を有するゴルフクラブヘッド１２を備えた好適な一実施形態の練習用アイアンゴルフクラブ１０として、前記クラブシャフト１１が一箇所曲げられている程度は、前記グリップ部分１８の延長線Ｌ１と、ゴルフクラブヘッド１２のホーゼル部分１５の延長線Ｌ２との為す角度θが８度±１度の範囲内となるように設定されている（図４参照）。
【００２８】
図３に示すように、通常の７番アイアンのゴルフクラブ５０と同様のライ角及びロフト角を有するゴルフクラブヘッド１２を備えた上記構成の本発明の好適な一実施形態の練習用アイアンゴルフクラブ１０は、クラブシャフト１１のグリップ部分１８が直線状であり、かつ、ゴルフクラブヘッド１２が装着されたクラブシャフト１１の先端が、スイングプレーン上における目標方向側に５５ｍｍ〜７５ｍｍ程度（最も好適には６５ｍｍ程度）変位するように、クラブシャフト１１が一箇所曲げられているものである。
【００２９】
また、上記構成の本発明の好適な一実施形態の練習用アイアンゴルフクラブ１０のクラブシャフト１１が直線状である部分は、グリップエンド側の約３００ｍｍの長さを有する部分と、ゴルフクラブヘッド側の約２００ｍｍの長さを有する部分である（図４参照）。
そして、湾曲部分の中心における曲率半径は、約２８００ｍｍとなっている。
【００３０】
さらに、本発明の一実施形態の練習用アイアンゴルフクラブ１０において、前記クラブシャフト１１のグリップ部分１８が、クラブシャフト１１の先端部分の延長線Ｌ２よりもゴルファーに接近する内側に配置されるように、前記クラブシャフト１１が目標方向と直交する垂直面上においても変位（好ましくは４７ｍｍ±１０ｍｍ程度の変位量ｔ４）していることにより（図５（Ａ）参照）、グリップ部分１８の延長線Ｌ１と、通常のアイアンゴルフクラブにおける（グリップ部分の延長線に近接している）ゴルフクラブヘッドの位置とのズレ量を減少させることができる。
具体的には、グリップ部分１８がゴルファーに接近する内側に配置されることで、グリップ部分１８の延長線Ｌ１が地面と交わる点が図５（Ｂ）における点Ｐ’から点Ｐに移動することになる。
従って、上記構成の一実施形態の練習用アイアンゴルフクラブ１０においては、クラブシャフト１１が曲げられていることによるゴルフクラブヘッド１２の重心位置のズレを減少させ、通常のアイアンゴルフクラブ５０をスイングする場合との違いに基づく違和感をより一層軽減することができる。
上記構成の一実施形態の練習用アイアンゴルフクラブ１０は、クラブシャフト１１の先端部にゴルフクラブヘッド１２を固定する際の位置（取付角度）を調整することで、簡単に実現することができる。
【００３１】
本発明の練習用アイアンゴルフクラブは、上記実施形態に限定されるものではなく、本発明の趣旨を逸脱しない範囲で、前記角度θ、ソール面の太さｔ１、変位量ｔ２、ｔ３などを適宜変更したり、クラブシャフト１１を曲げる位置を適宜変更して実施してもよい。
【００３２】
本発明の練習用アイアンゴルフクラブ１０に使用するクラブシャフト１１を製造するには、適宜加熱処理、曲げプレス加工、焼き入れ処理などを行うことで、一箇所曲げられたクラブシャフト１１を得ることができる。
なお、本発明の練習用アイアンゴルフクラブは、既製のゴルフクラブを、本発明の趣旨を逸脱しない範囲で、そのクラブシャフトとゴルフクラブヘッドを加工することで得ることもできる。
クラブシャフトを曲げる場合には、クラブシャフトの中に砂又は鉄球などを入れて曲げることで、クラブシャフトのつぶれを防ぐことができる。
【００３３】
上記のとおり構成された本発明の練習用アイアンゴルフクラブ１０においては、ソール面１３を地面に沿って置き、クラブフェース１４を目標方向と直交するようにアドレスして構えると、ゴルフクラブヘッド１２のホーゼル部分１５及びホーゼル部分１５近傍のクラブシャフト１１が目標方向と直交する垂直面上にセットされる。
このとき、ハンドファーストの状態でグリップ部分１８を握ると、クラブフェース１４下端部のスコアライン１６の延長線と、線状の目印１７は一致するようになっているので、グリップ位置がハンドファーストの正しい位置となっているか否かについて容易に確認することができる。ここで、前記線状の目印１７は下端部のスコアライン１６の２倍程度太く形成されているため、利き目が左右何れの場合で合っても簡単に正しいアドレス（構え）を得ることができる。
そして、ハンドファーストの状態を維持してゴルフボール２０を実際に打つことができる。
【００３４】
ゴルフボール２０を打つには、ゴルフクラブヘッド１２が遅れて振られているという感覚を受けることが無いため、ゴルフクラブヘッド１２を早く回転させようとして手首をこねるような誤ったスイング動作を行ってしまうことを避けることができる。
本発明の一実施形態の練習用アイアンゴルフクラブ１０を効果的に使用するには、通常の７番アイアンと数球ずつ交互にゴルフボール２０を打って、本発明の練習用アイアンゴルフクラブでも真っ直ぐに打てるようになれば、ハンドファーストの基本的なスイングが身についたものと考えられる。
【００３５】
さらに、本発明は、その趣旨を逸脱しない範囲で、ゴルフクラブヘッドやクラブシャフトなどの各部の形状や材質などを適宜変更して実施してもよい。
また、本発明の練習用アイアンゴルフクラブは、７番アイアンのようなミドルアイアンに採用して実施した場合において全てのアイアンに対応しやすい効率的な練習を行うことができるものであるが、上記実施形態に限定されるものではなく、本発明の趣旨を逸脱しない範囲で、他の番手のアイアンゴルフクラブに対応するものとして実施してもよい。
その場合、本発明の練習用アイアンゴルフクラブの複数の実施形態において、前記ライ角及びロフト角の数値、曲げ量は、一例として、番手に応じて、図３に示すような数値から適宜選択して採用することができる。
【００３６】
具体的には、クラブシャフトのグリップエンド部分における目標方向への変位量ｔ２は、下記のとおりとなる。
２番アイアン：１５±１０ｍｍ、３番アイアイン：２５±１０ｍｍ、４番アイアン：３５±１０ｍｍ、５番アイアイン：４５±１０ｍｍ、６番アイアン：５５±１０ｍｍ、７番アイアイン：６５±１０ｍｍ、８番アイアン：７５±１０ｍｍ、９番アイアイン：８５±１０ｍｍ、ＰＷ：９５±１０ｍｍ、ＡＷ：１０５±１０ｍｍ。
従って、本発明の練習用アイアンゴルフクラブにおいて、前記クラブシャフトのグリップエンド部分における目標方向への変位量ｔ２は、クラブシャフトの先端部分の延長線との距離が３５ｍｍ〜１１５ｍｍの範囲内であることが実用上望ましい。
【００３７】
従って、本発明の練習用アイアンゴルフクラブは、番手の異なる複数の実施形態において、ゴルフクラブヘッド１２が装着されたクラブシャフト１１の先端が、スイングプレーン上における目標方向側に３５ｍｍ〜１１５ｍｍ程度変位するように、クラブシャフト１１が一箇所曲げられているものであると言うことができる。
即ち、本発明は、図４に示すクラブシャフトの先端部における変位量ｔ３が番手に応じて３５ｍｍ〜１１５ｍｍ程度である練習用アイアンゴルフクラブであると言うこともできる。
【００３８】
なお、本明細書中においては、実施形態として右利き用の練習用アイアンゴルフクラブの場合について説明したが、本発明は、左利き用の練習用アイアンゴルフクラブにおいても同様に具体化して実施できるものである。
【産業上の利用可能性】
【００３９】
本発明は、ハンドファーストの基本的なスイングを効率的に習得するための練習用アイアンゴルフクラブとして、産業上好適に利用可能である。
【符号の説明】
【００４０】
１０  練習用アイアンゴルフクラブ
１１  クラブシャフト
１２  ゴルフクラブヘッド
１３  ソール面
１４  クラブフェース
１５  ホーゼル部分
１６  下端部のスコアライン
１７  線状の目印
１７’  線状の目印
１８  グリップ部分
２０  ゴルフボール
５０  通常のアイアンゴルフクラブ
１００  従来の練習用アイアンゴルフクラブ
θ    グリップ部分の延長線とホーゼル部分の延長線との為す角度
ｔ１  ソール面の太さ
ｔ２  グリップエンド部分における目標方向への変位量
ｔ３  クラブシャフトの先端部における変位量
ｔ４  ゴルファーに接近する内側への変位量
Ｌ１  グリップ部分の延長線
Ｌ２  クラブシャフトの先端部分の延長線（ホーゼル部分の延長線）
Ｐ    グリップ部分の延長線が地面と交わる点
（グリップ部分がゴルファーに接近する内側に配置された場合）
Ｐ’  グリップ部分の延長線が地面と交わる点
【図１】
2019136448.tif 000003
【図２】
2019136448.tif 000004
【図３】
2019136448.tif 000005
【図４】
2019136448.tif 000006
【図５】
2019136448.tif 000007
【図６】
2019136448.tif 000008